(57)【要約】  天井の取替作業の効率を向上させることができるエレベータかご装置を得る。このエレベータかご装置は、かごと、かごよりも上方に設けられる四周上枠を有するかご枠と、四周上枠に設けられ、四周上枠に対する水平方向への移動が規制されるとともに、四周上枠に対する高さ方向への移動が可能なかご上天井幅木と、かご枠に設けられ、かごを支持する弾性部材と、高さ方向についての四周上枠に対するかご上天井幅木の位置に基づいてかごの積載重量を測定する秤装置とを備え、かご上天井幅木は、かごに支持される。
2020017046.tif 000002
【特許請求の範囲】
【請求項１】
かごと、
前記かごよりも上方に設けられる四周上枠を有するかご枠と、
前記四周上枠に設けられ、前記四周上枠に対する水平方向への移動が規制されるとともに、前記四周上枠に対する高さ方向への移動が可能なかご上天井幅木と
を備え、
前記かご上天井幅木は、前記かごに支持されるエレベータかご装置。
【請求項２】
前記かご枠に設けられ、前記かごを支持する弾性部材と、
高さ方向についての前記四周上枠に対する前記かご上天井幅木の位置に基づいて前記かごの積載重量を測定する秤装置と
をさらに備えた請求項１に記載のエレベータかご装置。
【発明の詳細な説明】
【技術分野】
【０００１】
この発明は、かごを備えたエレベータかご装置に関する。
【背景技術】
【０００２】
従来、かごと、かごの天井に固定されたかご上天井幅木とを備えたエレベータかご装置が知られている（例えば、特許文献１参照）。
【先行技術文献】
【特許文献】
【０００３】
【特許文献１】特開２０１０−２０２３１６号公報
【発明の概要】
【発明が解決しようとする課題】
【０００４】
しかしながら、既設の天井を新規の天井に取り替える場合に、既設の天井からかご上天井幅木を取り外し、その後、新規の天井にかご上天井幅木を取り付けなければならない。これにより、天井の取替作業の効率が悪いという課題があった。【０００５】
この発明は、上述のような課題を解決するためになされたものであり、その目的は、天井の取替作業の効率を向上させることができるエレベータかご装置を提供するものである。
【課題を解決するための手段】
【０００６】
この発明に係るエレベータかご装置は、かごと、かごよりも上方に設けられる四周上枠を有するかご枠と、四周上枠に設けられ、四周上枠に対する水平方向への移動が規制されるとともに、四周上枠に対する高さ方向への移動が可能なかご上天井幅木とを備え、かご上天井幅木は、かごに支持される。
【発明の効果】
【０００７】
この発明に係るエレベータかご装置によれば、かご上天井幅木は四周上枠に設けられており、かご上天井幅木はかごの天井に固定されない。これにより、既設の天井を新規の天井に取り替える場合に、既設の天井からかご上天井幅木を取り外す作業が不要となる。その結果、天井の取替作業の効率を向上させることができる。
【図面の簡単な説明】
【０００８】
【図１】この発明の実施の形態１に係るエレベータかご装置を示す斜視図である。
【図２】図１のエレベータかご装置を示す平面図である。
【図３】図２のＩＩＩ−ＩＩＩ線に沿った矢視断面図である。
【図４】図３のＡ部を示す拡大図である。
【図５】図４のＶ−Ｖ線に沿った矢視断面図である。
【図６】図４のＶＩ−ＶＩ線に沿った矢視断面図である。
【発明を実施するための形態】
【０００９】
実施の形態１．
図１は、この発明の実施の形態１に係るエレベータかご装置を示す斜視図、図２は、図１のエレベータかご装置を示す平面図、図３は、図２のＩＩＩ−ＩＩＩ線に沿った矢視断面図である。エレベータかご装置は、かご枠１と、かご枠１に支持されるかご２と、かご枠１に設けられるかご上天井幅木３と、かご枠１に設けられるかご上手摺４とを備えている。また、エレベータかご装置は、かご枠１に設けられる秤装置５と、かごドアを移動させるかごドア装置６と、かご枠１に設けられ、かご２を支持する弾性部材であるかご床下ばね７とを備えている。図２では、かご上手摺４を示していない。
【００１０】
かご枠１は、かご２の幅方向に延びる下枠１１と、下枠１１の長手方向両端部に設けられ、下枠１１から上方向に延びる一対の縦枠１２と、一対の縦枠１２のそれぞれの上端部に渡って設けられた四周上枠１３とを備えている。かご２は、一対の縦枠１２の間に配置される。
【００１１】
かご２は、かご床２１と、かご出入口が形成される前壁２２と、前壁２２に対向して配置される後壁２３と、かご２の幅方向について互いに対向する一対の横壁２４と、前壁２２、後壁２３および横壁２４のそれぞれの上部に固定される天井２５とを備えている。前壁２２、後壁２３および横壁２４のそれぞれは、かご床２１に立てられる。
【００１２】
四周上枠１３は、上方から視た場合に前壁２２に沿って配置される上枠前梁１３１と、上方から視た場合に後壁２３に沿って配置される上枠後梁１３２と、上方から視た場合に一対の横壁２４のそれぞれに沿って配置される一対の上枠横梁１３３とを備えている。
【００１３】
かご上天井幅木３は、上枠前梁１３１に取り付けられる前幅木部３１と、上枠後梁１３２に取り付けられる後幅木部３２と、一対の上枠横梁１３３のそれぞれに１個ずつ取り付けられる一対の横幅木部３３とを備えている。
【００１４】
かご上手摺４は、上枠前梁１３１に立てられる一対の柱部材４１と、上枠後梁１３２に立てられる一対の柱部材４２と、柱部材４１と柱部材４２とに渡って設けられる一対の手摺部４３と、一対の柱部材４２のそれぞれに渡って設けられる手摺部４４とを備えている。
【００１５】
図４は、図３のＡ部を示す拡大図、図５は、図４のＶ−Ｖ線に沿った矢視断面図、図６は、図４のＶＩ−ＶＩ線に沿った矢視断面図である。エレベータかご装置は、かご上天井幅木３を四周上枠１３に取り付ける複数の締結具８を備えている。締結具８は、かご上天井幅木３および四周上枠１３を貫通する段付ボルト８１と、段付ボルト８１に取り付けられる座金８２とを備えている。
【００１６】
横幅木部３３には、複数の貫通孔３３１が形成されている。貫通孔３３１には、段付ボルト８１が挿入される。複数の貫通孔３３１は、かご２の奥行方向に並べて配置されている。貫通孔３３１は、高さ方向に延びる長穴となっている。
【００１７】
貫通孔３３１に挿入された段付ボルト８１の先端部は、上枠横梁１３３に形成されたねじ孔に挿入される。これにより、貫通孔３３１に挿入された段付ボルト８１は、上枠横梁１３３に固定される。貫通孔３３１に挿入された段付ボルト８１は、横幅木部３３に対する水平方向への移動が規制される。また、貫通孔３３１に挿入された段付ボルト８１は、横幅木部３３に対する高さ方向への移動が可能である。したがって、横幅木部３３は、上枠横梁１３３に対する水平方向への移動が規制されるとともに、上枠横梁１３３に対する高さ方向への移動が可能となる。
【００１８】
横幅木部３３と同様に、前幅木部３１には、複数の貫通孔が形成されている。前幅木部３１に形成された貫通孔には、段付ボルト８１が挿入される。前幅木部３１に形成された複数の貫通孔は、かご２の幅方向に並べて配置されている。前幅木部３１に形成された貫通孔は、高さ方向に延びる長穴となっている。
【００１９】
前幅木部３１に形成された貫通孔に挿入された段付ボルト８１の先端部は、上枠前梁１３１に形成されたねじ孔に挿入される。これにより、前幅木部３１に形成された貫通孔に挿入された段付ボルト８１は、上枠前梁１３１に固定される。前幅木部３１に形成された貫通孔に挿入された段付ボルト８１は、前幅木部３１に対する水平方向への移動が規制される。また、前幅木部３１に形成された貫通孔に挿入された段付ボルト８１は、前幅木部３１に対する高さ方向への移動が可能である。したがって、前幅木部３１は、上枠前梁１３１に対する水平方向への移動が規制されるとともに、上枠前梁１３１に対する高さ方向への移動が可能となる。
【００２０】
また、横幅木部３３と同様に、後幅木部３２には、複数の貫通孔が形成されている。後幅木部３２に形成された貫通孔には、段付ボルト８１が挿入される。後幅木部３２に形成された複数の貫通孔は、かご２の幅方向に並べて配置されている。後幅木部３２に形成された貫通孔は、高さ方向に延びる長穴となっている。
【００２１】
後幅木部３２に形成された貫通孔に挿入された段付ボルト８１の先端部は、上枠後梁１３２に形成されたねじ孔に挿入される。これにより、後幅木部３２に形成された貫通孔に挿入された段付ボルト８１は、上枠後梁１３２に固定される。後幅木部３２に形成された貫通孔に挿入された段付ボルト８１は、後幅木部３２に対する水平方向への移動が規制される。また、後幅木部３２に形成された貫通孔に挿入された段付ボルト８１は、後幅木部３２に対する高さ方向への移動が可能である。したがって、後幅木部３２は、上枠後梁１３２に対する水平方向への移動が規制されるとともに、上枠後梁１３２に対する高さ方向への移動が可能となる。
【００２２】
以上のことから、かご上天井幅木３は、四周上枠１３に対する水平方向への移動が規制されるとともに、四周上枠１３に対する高さ方向への移動が可能となる。
【００２３】
後幅木部３２は、天井２５の上面に載せられる幅木底面部３２１と、幅木底面部３２１から上方に延びる幅木起立部３２２とを備えている。幅木起立部３２２は、締結具８を介して上枠後梁１３２に取り付けられる。幅木底面部３２１が天井２５の上面に載せられることによって、後幅木部３２が天井２５に支持される。
【００２４】
後幅木部３２と同様に、前幅木部３１は、天井２５の上面に載せられる幅木底面部と、幅木底面部から上方に延びる幅木起立部とを備えている。幅木起立部は、締結具８を介して上枠前梁１３１に取り付けられる。幅木底面部が天井２５の上面に載せられることによって、前幅木部３１が天井２５に支持される。
【００２５】
また、後幅木部３２と同様に、横幅木部３３は、天井２５の上面に載せられる幅木底面部と、幅木底面部から上方に延びる幅木起立部とを備えている。幅木起立部は、締結具８を介して上枠横梁１３３に取り付けられる。幅木底面部が天井２５の上面に載せられることによって、横幅木部３３が天井２５に支持される。
【００２６】
以上のことから、かご上天井幅木３は、天井２５に支持される。かご上天井幅木３は、かご上天井幅木３の自重によって天井２５の上面に接触する。これにより、例えば、作業中に工具が天井２５の上面から落下することが防止される。
【００２７】
秤装置５は、上枠後梁１３２に固定された取付部５１と、取付部５１に支持された秤装置本体５２とを備えている。後幅木部３２は、秤装置本体５２が上方から当たる秤検出部３２３を備えている。秤検出部３２３は、幅木起立部３２２の上部に固定されている。
【００２８】
かご２は、高さ方向に伸縮するかご床下ばね７を介して、かご枠１に支持される。したがって、かご２は、かご２の積載重量に対応して高さ方向に移動する。秤装置５は、高さ方向についての上枠後梁１３２に対する後幅木部３２の位置に基づいて、かご２の積載重量を測定する。言い換えれば、秤装置５は、高さ方向についての四周上枠１３に対するかご上天井幅木３の位置に基づいてかご２の積載重量を測定する。
【００２９】
かご２から既設の天井２５を取り外す場合には、前壁２２、後壁２３および横壁２４から既設の天井２５を取り外す。既設の天井２５がかご上天井幅木３に対して固定されていないので、かご上天井幅木３から既設の天井２５を取り外す必要がない。かご２に新規の天井２５を取り付ける場合には、前壁２２、後壁２３および横壁２４に新規の天井２５を取り付ける。新規の天井２５がかご上天井幅木３に対して固定されないので、かご上天井幅木３に新規の天井２５を取り付ける必要がなく、新規の天井２５にかご上天井幅木３を載せるだけでよい。
【００３０】
以上説明したように、この発明の実施の形態１に係るエレベータかご装置によれば、かご上天井幅木３は四周上枠１３に設けられており、かご上天井幅木３は天井２５に固定されない。これにより、既設の天井２５を新規の天井２５に取り替える場合に、既設の天井２５からかご上天井幅木３を取り外す作業が不要となる。その結果、天井２５の取替作業の効率を向上させることができる。
【００３１】
かご上天井幅木３は、天井２５に固定されない。これにより、天井２５をより薄く形成することができる。その結果、昇降路への天井２５の搬出入が容易となり、また、天井２５の据付が容易となる。
【００３２】
また、かご上天井幅木３は、天井２５に固定されない。これにより、天井２５を取り替える場合に、既設のかご上天井幅木３を流用することができる。
【００３３】
また、エレベータかご装置は、かご２を支持するかご床下ばね７と、高さ方向についての四周上枠１３に対するかご上天井幅木３の位置に基づいてかごの積載重量を測定する秤装置５を備えている。これにより、秤装置５をかご２よりも上方に配置することができる。
【００３４】
なお、実施の形態１では、秤装置５が四周上枠１３の上枠後梁１３２に設けられる構成について説明した。しかしながら、これに限らず、秤装置５が四周上枠１３に設けられていればよい。
【符号の説明】
【００３５】
１  かご枠、２  かご、３  かご上天井幅木、４  かご上手摺、５  秤装置、６  かごドア装置、７  かご床下ばね、８  締結具、１１  下枠、１２  縦枠、１３  四周上枠、２１  かご床、２２  前壁、２３  後壁、２４  横壁、２５  天井、３１  前幅木部、３２  後幅木部、３３  横幅木部、４１  柱部材、４２  柱部材、４３  手摺部、４４  手摺部、５１  取付部、５２  秤装置本体、８１  段付ボルト、８２  座金、１３１  上枠前梁、１３２  上枠後梁、１３３  上枠横梁、３２１  幅木底面部、３２２  幅木起立部、３２３  秤検出部、３３１  貫通孔。
【図１】
2020017046.tif 000003
【図２】
2020017046.tif 000004
【図３】
2020017046.tif 000005
【図４】
2020017046.tif 000006
【図５】
2020017046.tif 000007
【図６】
2020017046.tif 000008
【国際調査報告】
2020017046.tif 000009
2020017046.tif 000010
2020017046.tif 000011
2020017046.tif 000012